(57)【要約】【課題】アンテナの一部を物理的に取り除いたりすることなく、遠距離からの不正アクセスを防止する。【解決手段】ＲＦＩＤタグ１０１に、ＲＦＩＤリーダライタ２００からの電波を受信する第１のアンテナ部１に加え、第１のアンテナ部１よりも電波の受信感度が低い第２のアンテナ部７を設ける。第２の電源部８を設け、第２のアンテナ部７が受信した電波より電力を抽出し、制御部５へ送る。制御部５に、第２の電源部８からの電力の供給を受けていない場合、第１のアンテナ部１を介するＲＦＩＤリーダライタ２００からのメモリ部６へのアクセスを禁止し、第２の電源部８からの電力の供給を受けている場合、第１のアンテナ部１を介するＲＦＩＤリーダライタ２００からのメモリ部６へのアクセスを許可する機能を設ける。【選択図】  図１
2007257267.tif 000002
【特許請求の範囲】
【請求項１】
電波を媒体として通信機器とデータ通信を行う無線タグにおいて、
前記通信機器からの電波を受信する第１のアンテナ部と、
前記第１のアンテナ部が受信した電波より電力を抽出する第１の電源部と、
前記第１の電源部からの電力を受けて作動する制御部と、
外部電力の入力部とを備え、
前記制御部は、
前記外部電力の入力の有無に基づいて前記通信機器からのメモリ部へのアクセスの許可および禁止を制御する手段
を備えることを特徴とする無線タグ。
【請求項２】
請求項１に記載された無線タグにおいて、
前記外部電力の入力部は、
前記第１のアンテナ部の電波の通信可能距離よりも短い近距離からの外部電力を入力する
ことを特徴とする無線タグ。
【請求項３】
請求項１に記載された無線タグにおいて、
前記外部電力の入力部は、
前記第１のアンテナ部よりも電波の受信感度が低い第２のアンテナ部と、
前記第２のアンテナ部が受信した電波より電力を抽出する第２の電源部とを備え、
前記制御部は、
前記第２の電源部からの電力の供給を受けていない場合、前記第１のアンテナ部を介する前記通信機器からの前記メモリ部へのアクセスを禁止する手段と、
前記第２の電源部からの電力の供給を受けている場合、前記第１のアンテナ部を介する前記通信機器からの前記メモリ部へのアクセスを許可する手段と
を備えることを特徴とする無線タグ。
【請求項４】
請求項１に記載された無線タグにおいて、
前記外部電力の入力部は、
前記第１のアンテナ部よりも電波の受信感度が低い第２のアンテナ部と、
前記第２のアンテナ部が受信した電波より電力を抽出する第２の電源部とを備え、
前記メモリ部は、
保護の対象となるデータを格納する保護メモリ部と、
保護の対象とならないデータを格納する非保護メモリ部とを備え、
前記制御部は、
前記第２の電源部からの電力の供給を受けていない場合、前記第１のアンテナ部を介する前記通信機器からの前記保護メモリ部へのアクセスを禁止する手段と、
前記第２の電源部からの電力の供給を受けている場合、前記第１のアンテナ部を介する前記通信機器からの前記保護メモリ部へのアクセスを許可する手段と
を備えることを特徴とする無線タグ。
【請求項５】
請求項１に記載された無線タグにおいて、
前記外部電力の入力部は、
前記第１のアンテナ部よりも電波の受信感度が低い第２のアンテナ部と、
前記第２のアンテナ部が受信した電波より電力を抽出する第２の電源部とを備え、
前記メモリ部は、
データを格納するデータメモリ部と、
前記データメモリ部の各データ格納領域に対応づけてそのデータ格納領域を保護の対象とするか否かを示すフラグ値を格納するフラグメモリ部とを備え、
前記制御部は、
前記第２の電源部からの電力の供給を受けていない場合、前記第１のアンテナ部を介する前記通信機器からの前記フラグメモリ部のフラグ値によって保護の対象とされている前記データメモリ部のデータ格納領域へのアクセスを禁止する手段と、
前記第２の電源部からの電力の供給を受けている場合、前記第１のアンテナ部を介する前記通信機器からの前記フラグメモリ部のフラグ値によって保護の対象とされている前記データメモリ部のデータ格納領域へのアクセスを許可する手段と
を備えることを特徴とする無線タグ。
【請求項６】
請求項１に記載された無線タグにおいて、
前記外部電力の入力部は、
前記第１のアンテナ部よりも電波の受信感度が低い第２のアンテナ部と、
前記第２のアンテナ部が受信した電波より電力を抽出する第２の電源部とを備え、
前記メモリ部は、
保護の対象となるデータを格納する保護メモリ部と、
保護の対象とならないデータを格納する非保護メモリ部とを備え、
前記制御部は、
前記第２の電源部からの電力の供給を受けていない場合、前記第１のアンテナ部を介する前記通信機器からの前記保護メモリ部へのアクセスを禁止する手段と、
前記第２の電源部からの電力の供給を受けている場合、前記第２のアンテナ部を介する前記通信機器からの前記保護メモリ部へのアクセスを許可する手段と
を備えることを特徴とする無線タグ。
【請求項７】
請求項１に記載された無線タグにおいて、
前記外部電力の入力部は、
前記第１のアンテナ部よりも電波の受信感度が低い第２のアンテナ部と、
前記第２のアンテナ部が受信した電波より電力を抽出する第２の電源部とを備え、
前記メモリ部は、
データを格納するデータメモリ部と、
このデータメモリ部の各データ格納領域に対応づけてそのデータ格納領域を保護の対象とするか否かを示すフラグ値を格納するフラグメモリ部とを備え、
前記制御部は、
前記第２の電源部からの電力の供給を受けていない場合、前記第１のアンテナ部を介する前記通信機器からの前記フラグメモリ部のフラグ値によって保護の対象とされている前記データメモリ部のデータ格納領域へのアクセスを禁止する手段と、
前記第２の電源部からの電力の供給を受けている場合、前記第２のアンテナ部を介する前記通信機器からの前記フラグメモリ部のフラグ値によって保護の対象とされている前記データメモリ部のデータ格納領域へのアクセスを許可する手段と
を備えることを特徴とする無線タグ。
【請求項８】
請求項１に記載された無線タグにおいて、
前記外部電力の入力部は、
外部電源との接続端子を備え、
前記制御部は、
前記接続端子に外部電源が接続されていない場合、前記第１のアンテナ部を介する前記通信機器からの前記メモリ部へのアクセスを禁止する手段と、
前記接続端子に外部電源が接続されている場合、前記第１のアンテナ部を介する前記通信機器からの前記メモリ部へのアクセスを許可する手段と
を備えることを特徴とする無線タグ。
【請求項９】
請求項１に記載された無線タグにおいて、
前記外部電力の入力部は、
外部電源との接続端子を備え、
前記メモリ部は、
保護の対象となるデータを格納する保護メモリ部と、
保護の対象とならないデータを格納する非保護メモリ部とを備え、
前記制御部は、
前記接続端子に外部電源が接続されていない場合、前記第１のアンテナ部を介する前記通信機器からの前記保護メモリ部へのアクセスを禁止する手段と、
前記接続端子に外部電源が接続されている場合、前記第１のアンテナ部を介する前記通信機器からの前記保護メモリ部へのアクセスを許可する手段と
を備えることを特徴とする無線タグ。
【請求項１０】
請求項１に記載された無線タグにおいて、
前記外部電力の入力部は、
外部電源との接続端子を備え、
前記メモリ部は、
データを格納するデータメモリ部と、
前記データメモリ部の各データ格納領域に対応づけてそのデータ格納領域を保護の対象とするか否かを示すフラグ値を格納するフラグメモリ部とを備え、
前記制御部は、
前記接続端子に外部電源が接続されていない場合、前記第１のアンテナ部を介する前記通信機器からの前記フラグメモリ部のフラグ値によって保護の対象とされている前記データメモリ部のデータ格納領域へのアクセスを禁止する手段と、
前記接続端子に外部電源が接続されている場合、前記第１のアンテナ部を介する前記通信機器からの前記フラグメモリ部のフラグ値によって保護の対象とされている前記データメモリ部のデータ格納領域へのアクセスを許可する手段と
を備えることを特徴とする無線タグ。
【発明の詳細な説明】
【技術分野】
【０００１】
この発明は、電波を媒体としてリーダやリーダライタなどの通信機器とデータ通信を行う無線タグに関するものである。
【背景技術】
【０００２】
近年、無線通信を用いた自動認識技術として、ＲＦＩＤ（Radio Frequency Identification）が急速に普及している。一般的なＲＦＩＤシステムは、物品などに取り付けられてその物品を識別するために用いられるＲＦＩＤタグと呼ばれる無線タグ、およびＲＦＩＤタグ内のメモリに記憶されているデータを読み出したり、ＲＦＩＤタグ内のメモリに対してデータを書き込むために用いられるリーダライタ（ＲＦＩＤリーダライタ）より構成される。
【０００３】
ＲＦＩＤ技術の特徴の一つとして、非接触でのメモリへのアクセスが可能である、ということが挙げられる。この特徴を利用すれば、ＲＦＩＤタグを貼付した複数の物品が箱に梱包されているような場合でも、開梱せずにＲＦＩＤタグ内のメモリへのデータの読み書きを行うことができる。これにより、検品を効率よく行なうことが可能となるなど、流通業界をはじめとするさまざまな業界での応用が期待されている。
【０００４】
特に、極超短波（UHF, Ultra High Frequency ）帯の電波帯域を使用するＲＦＩＤタグは、短波（HF, High Frequency）帯やマイクロ波帯を使用するＲＦＩＤタグと比較した場合、より遠距離からメモリへのアクセスが可能である、という特徴があるため、近年特に期待が高まっている。
【０００５】
【特許文献１】特開２００１−１６７２４１号公報
【特許文献２】特開２００４−２１３５８２号公報
【特許文献３】特開２００３−２８３３６６号公報
【非特許文献１】G. Karjoth and P. Moskowitz, "Disabling RFID Tags with Visible Confirmation: Clipped Tags Are Silenced", In Proceedings of Workshop on Privacy in the Electronic Society, November 2005.
【発明の開示】
【発明が解決しようとする課題】
【０００６】
しかながら、非接触でメモリへのアクセスが可能であるが故に、ＲＦＩＤタグの所持者もしくは正当な使用者の意図しないところで、また気付かないうちにＲＦＩＤタグ内のデータを読み取られる、もしくは書き替えらえるなどの可能性があり、プライバシー保護や情報セキュリティの点で深刻な問題につながる虞れがある。
【０００７】
特に、ＵＨＦ帯のＲＦＩＤタグでは、ＲＦＩＤリーダライタとＲＦＩＤタグの距離がかなり離れていてもＲＦＩＤタグ内のメモリへのアクセスが可能であるため、不正なアクセスが行なわれていることに気付き難く、この問題は深刻である。
【０００８】
このような問題に対処するために、例えば非特許文献１では、ＲＦＩＤタグを構成するアンテナの一部を物理的に取り除き、遠距離からのメモリへのアクセスを不可能にすることによって、ＲＦＩＤタグの使用者が望まないアクセスを防止するＲＦＩＤタグを提案している。
【０００９】
しかしながら、この非特許文献１に示された方法では、ＲＦＩＤタグの一部を物理的に破壊するために、その後で元の状態に戻すことが困難であるという問題がある。また、ＲＦＩＤタグのメモリ内に不正な読み取りから保護されるべきデータと、そのような保護を必要としないデータの両方が格納されている場合に、保護を必要としないデータにアクセスを行ないたい場合でも遠距離からのアクセスが不可能になってしまうため、ＲＦＩＤタグを活用する上での利便性が損なわれる虞れがあるという問題もある。
【００１０】
本発明は、このような課題を解決するためになされたもので、その目的とするところは、アンテナの一部を物理的に取り除いたりすることなく、遠距離からの不正アクセスを防止することが可能なＲＦＩＤタグを提供することにある。
また、アンテナの一部を物理的に取り除いたりすることなく、遠距離からの不正アクセスを防止することが可能で、かつ保護を必要とするデータのみを遠距離からの不正アクセスから適切に保護し、保護を必要としないデータに対しては遠距離からのアクセスを可能とする利便性に優れたＲＦＩＤタグを提供することにある。
【課題を解決するための手段】
【００１１】
このような目的を達成するために、本発明は、電波を媒体として通信機器とデータ通信を行うＲＦＩＤタグに、通信機器からの電波を受信する第１のアンテナ部と、第１のアンテナ部が受信した電波より電力を抽出する第１の電源部と、第１の電源部からの電力を受けて作動する制御部と、外部電力の入力部とを設け、制御部に、外部電力の入力の有無に基づいて通信機器からのメモリ部へのアクセスの許可および禁止を制御する手段とを設けたものである。
【００１２】
本発明では、例えば、外部電力の入力部として、第１のアンテナ部よりも電波の受信感度が低い第２のアンテナ部と、第２のアンテナ部が受信した電波より電力を抽出する第２の電源部とを設け、制御部に、第２の電源部からの電力の供給を受けていない場合、第１のアンテナ部を介する通信機器からのメモリ部へのアクセスを禁止する手段と、第２の電源部からの電力の供給を受けている場合、第１のアンテナ部を介する通信機器からのメモリ部へのアクセスを許可する手段を設ける。
【００１３】
このようにすると、通信機器がＲＦＩＤタグに対して遠距離（第１のアンテナ部の通信可能距離と第２のアンテナ部の通信可能距離との間）にある場合、通信機器からの電波がＲＦＩＤタグの第１のアンテナ部で受信される。これにより、第１の電源部が第１のアンテナ部の受信電波より電力を抽出し、抽出した電力を制御部へ送る。しかし、この場合、通信機器からの電波強度は第２のアンテナ部の受信感度にとっては不十分なので、第２の電源部は電力を抽出し得ず、第２の電源部から制御部へは電力（外部電力）が送られない。したがって、第１のアンテナ部を介する通信機器からのメモリ部へのアクセス、すなわち遠距離の通信機器からのＲＦＩＤタグ内のメモリ部へのアクセスは禁止される。これにより、遠距離からの不正アクセスが防止される。
【００１４】
これに対して、通信機器がＲＦＩＤタグに対して近距離（第２のアンテナ部の通信可能距離内）にあると、通信機器からの電波強度は第２のアンテナ部の受信感度にとっても十分強いものとなる。これにより、第１の電源部は第１のアンテナ部が受信した電波より電力を抽出し、第２の電源部は第２のアンテナ部が受信した電波より電力を抽出し、抽出した電力をそれぞれ制御部へ送る。したがって、第１のアンテナ部を介する通信機器からのメモリ部へのアクセスが許可され、すなわち近距離の通信機器からのＲＦＩＤタグ内のメモリ部へのアクセスが許可され、メモリ部へのデータの書き込みや読み出しが可能となる。この場合、不正アクセスが行われたとしても、その不正アクセスは近距離からの不正アクセスであるので、人間が視覚的に容易に確認することが可能である。
【００１５】
また、本発明では、例えば、外部電力の入力部として、第１のアンテナ部よりも電波の受信感度が低い第２のアンテナ部と、第２のアンテナ部が受信した電波より電力を抽出する第２の電源部とを設け、メモリ部に、保護の対象となるデータを格納する保護メモリ部と、保護の対象とならないデータを格納する非保護メモリ部とを設け、制御部に、第２の電源部からの電力の供給を受けていない場合、第１のアンテナ部を介する通信機器からの保護メモリ部へのアクセスを禁止する手段と、第２の電源部からの電力の供給を受けている場合、第１のアンテナ部を介する通信機器からの保護メモリ部へのアクセスを許可する手段とを設ける。
【００１６】
このようにすると、通信機器がＲＦＩＤタグに対して遠距離（第１のアンテナ部の通信可能距離と第２のアンテナ部の通信可能距離との間）にある場合、通信機器からの電波がＲＦＩＤタグの第１のアンテナ部で受信される。これにより、第１の電源部が第１のアンテナ部の受信電波より電力を抽出し、抽出した電力を制御部へ送る。しかし、この場合、通信機器からの電波強度は第２のアンテナ部の受信感度にとっては不十分なので、第２の電源部は電力を抽出し得ず、第２の電源部から制御部へは電力（外部電力）が送られない。したがって、第１のアンテナ部を介する通信機器からの保護メモリ部へのアクセス、すなわち遠距離の通信機器からのＲＦＩＤタグ内の保護メモリ部へのアクセスは禁止される。なお、この場合、第１のアンテナ部を介する通信機器からの非保護メモリ部へのアクセス、すなわち遠距離の通信機器からのＲＦＩＤタグ内の非保護メモリ部へのアクセスは可能である。これにより、保護を必要としないデータに対しては遠距離からのアクセスを可能とし、保護を必要とするデータのみを遠距離からの不正アクセスから適切に保護することが可能となる。
【００１７】
これに対して、通信機器がＲＦＩＤタグに対して近距離（第２のアンテナ部の通信可能距離内）にあると、通信機器からの電波強度は第２のアンテナ部の受信感度にとっても十分強いものとなる。これにより、第１の電源部は第１のアンテナ部が受信した電波より電力を抽出し、第２の電源部は第２のアンテナ部が受信した電波より電力を抽出し、抽出した電力をそれぞれ制御部へ送る。したがって、第１のアンテナ部を介する通信機器からの保護メモリ部へのアクセスが許可され、すなわち近距離の通信機器からのＲＦＩＤタグ内の保護メモリ部へのアクセスが許可され、保護メモリ部へのデータの書き込みや読み出しが可能となる。この場合、不正アクセスが行われたとしても、その不正アクセスは近距離からの不正アクセスであるので、人間が視覚的に容易に確認することが可能である。
【００１８】
また、本発明では、例えば、外部電力の入力部として、第１のアンテナ部よりも電波の受信感度が低い第２のアンテナ部と、第２のアンテナ部が受信した電波より電力を抽出する第２の電源部とを設け、メモリ部に、データを格納するデータメモリ部と、データメモリ部の各データ格納領域に対応づけてそのデータ格納領域を保護の対象とするか否かを示すフラグ値を格納するフラグメモリ部とを設け、制御部に、第２の電源部からの電力の供給を受けていない場合、第１のアンテナ部を介する通信機器からのフラグメモリ部のフラグ値によって保護の対象とされているデータメモリ部のデータ格納領域へのアクセスを禁止する手段と、第２の電源部からの電力の供給を受けている場合、第１のアンテナ部を介する通信機器からのフラグメモリ部のフラグ値によって保護の対象とされているデータメモリ部のデータ格納領域へのアクセスを許可する手段とを設ける。
【００１９】
このようにすると、通信機器がＲＦＩＤタグに対して遠距離（第１のアンテナ部の通信可能距離と第２のアンテナ部の通信可能距離との間）にある場合、通信機器からの電波がＲＦＩＤタグの第１のアンテナ部で受信される。これにより、第１の電源部が第１のアンテナ部の受信電波より電力を抽出し、抽出した電力を制御部へ送る。しかし、この場合、通信機器からの電波強度は第２のアンテナ部の受信感度にとっては不十分なので、第２の電源部は電力を抽出し得ず、第２の電源部から制御部へは電力（外部電力）が送られない。したがって、第１のアンテナ部を介する通信機器からのデータメモリ部の保護の対象とされているデータ格納領域へのアクセス、すなわち遠距離の通信機器からのＲＦＩＤタグ内のデータメモリ部の保護の対象とされているデータ格納領域へのアクセスは禁止される。なお、この場合、第１のアンテナ部を介する通信機器からのデータメモリ部の保護の対象とされていないデータ格納領域へのアクセス、すなわち遠距離の通信機器からのＲＦＩＤタグ内のデータメモリ部の保護の対象とされていないデータ格納領域へのアクセスは可能である。これにより、保護を必要としないデータに対しては遠距離からのアクセスを可能とし、保護を必要とするデータのみを遠距離からの不正アクセスから適切に保護することが可能となる。この発明において、データメモリ部のデータ格納領域とは、例えば、データメモリ部内の個々のアドレス、複数のアドレスから構成されるブロックなどを言う。
【００２０】
これに対して、通信機器がＲＦＩＤタグに対して近距離（第２のアンテナ部の通信可能距離内）にあると、通信機器からの電波強度は第２のアンテナ部の受信感度にとっても十分強いものとなる。これにより、第１の電源部は第１のアンテナ部が受信した電波より電力を抽出し、第２の電源部は第２のアンテナ部が受信した電波より電力を抽出し、抽出した電力をそれぞれ制御部へ送る。したがって、第１のアンテナ部を介する通信機器からのデータメモリ部の保護の対象とされているデータ格納領域へのアクセスが許可され、すなわち近距離の通信機器からのＲＦＩＤタグ内のデータメモリ部の保護の対象とされているデータ格納領域へのアクセスが許可され、保護の対象とされているデータ格納領域へのデータの書き込みや読み出しが可能となる。この場合、不正アクセスが行われたとしても、その不正アクセスは近距離からの不正アクセスであるので、人間が視覚的に容易に確認することが可能である。
【００２１】
本発明において、メモリ部へのアクセスの許可および禁止の制御方式は、他にも種々考えられる。例えば、第２の電源部からの電力の供給を受けていない場合、第１のアンテナ部を介する通信機器からの保護メモリ部へのアクセスを禁止するようにし、第２の電源部からの電力の供給を受けている場合、第２のアンテナ部を介する通信機器からの保護メモリ部へのアクセスを許可するようにしてもよい。また、第２の電源部からの電力の供給を受けていない場合、第１のアンテナ部を介する通信機器からのフラグメモリ部のフラグ値によって保護の対象とされているデータメモリ部のデータ格納領域へのアクセスを禁止するようにし、第２の電源部からの電力の供給を受けている場合、第２のアンテナ部を介する通信機器からのフラグメモリ部のフラグ値によって保護の対象とされているデータメモリ部のデータ格納領域へのアクセスを許可するようにしてもよい。また、外部電力の入力部として、外部電源との接続端子を設けるようにしてもよい。
【発明の効果】
【００２２】
本発明によれば、ＲＦＩＤタグに外部電力の入力部を設け、この入力部からの外部電力の有無に基づいて通信機器からのメモリ部へのアクセスの許可および禁止を制御するようにしたので、第２のアンテナを設けたり、外部電源との接続端子を設けるなどして、アンテナの一部を物理的に取り除いたりすることなく、遠距離からの不正アクセスを防止することが可能となる。
【００２３】
また、本発明によれば、通信機器からの保護メモリ部へのアクセスやデータメモリ部の保護の対象とされているデータ格納領域へのアクセスの許可および禁止を制御するなどして、保護を必要とするデータのみを遠距離からの不正アクセスから適切に保護し、保護を必要としないデータに対しては遠距離からのアクセスを可能とし、利便性に優れたものとすることができるようになる。
【発明を実施するための最良の形態】
【００２４】
以下、本発明を図面に基づいて詳細に説明する。
〔実施の形態１〕
図１は本発明に係るＲＦＩＤタグの第１の実施の形態（実施の形態１）の概略構成を示すブロック図である。同図に示すように、この実施の形態１のＲＦＩＤタグ１０１は、ＲＦＩＤリーダライタ２００との間で電波の送受信を行なう第１のアンテナ部１と、第１のアンテナ部１が受信した電波より電力を抽出する第１の電源部２と、第１のアンテナ部１が受信した電波内に含まれているコマンドをデコードして制御部５に送信するデータ受信部３と、制御部５から送信されてきた返信データを第１のアンテナ部１からの送信電波内にエンコードするデータ送信部４と、第１のアンテナ部１が受信した電波内に含まれているコマンドを解釈してメモリ部６へのアクセスを行なう制御部５と、ＩＤやユーザデータなどを格納するメモリ部６と、第１のアンテナ部１よりも電波の受信感度が低い第２のアンテナ部７と、第２のアンテナ部７が受信した電波より電力を抽出する第２の電源部８とを備えている。
【００２５】
このＲＦＩＤタグ１０１において、第１のアンテナ部１と第２のアンテナ部７の通信周波数は同じとされている。また、第１のアンテナ部１の通信可能距離をＬ１、第２のアンテナ部７の電波の通信可能距離をＬ２とした場合、第１のアンテナ部１の通信可能距離Ｌ１が遠距離、第２のアンテナ部７の電波の通信可能距離Ｌ２が近距離となるように、第２のアンテナ部７のサイズを第１のアンテナ部１のサイズよりも十分小さいものとしている。
【００２６】
また、このＲＦＩＤタグ１０１において、制御部５は、第１の電源部２からの電力の供給を受けて動作する。また、制御部５は、本実施の形態特有の機能として、第２の電源部８からの電力（外部電力）の入力の有無に基づいてメモリ部６へのアクセスを禁止したり許可したりするアクセス禁止／許可機能を有している。以下、図２に示すフローチャートに従って、制御部５が有するアクセス禁止／許可機能について説明する。
【００２７】
〔ＲＦＩＤリーダライタが遠距離にある場合〕
今、図１に示すように、ＲＦＩＤリーダライタ２００が遠距離（Ｌ１とＬ２との間）にあるものとする。この場合、ＲＦＩＤリーダライタ２００からの電波がＲＦＩＤタグ１０１の第１のアンテナ部１で受信され、この第１のアンテナ部１が受信した電波より抽出された電力が第１の電源部２から制御部５へ与えられる。制御部５は、この第１の電源部２からの電力を受けて動作し、第１のアンテナ部１が受信した電波内に含まれているコマンドがデータアクセス要求であるかどうかをチェックする（ステップ＃１０１）。
【００２８】
ここで、ＲＦＩＤリーダライタ２００からのコマンドがデータアクセス要求であれば（ステップ＃１０１のＹＥＳ）、第２の電源部８から電力が供給されているか否かをチェックし（ステップ＃１０２）、第２の電源部８から電力が供給されていなければ（ステップ＃１０２のＮＯ）、ステップ＃１０９へ進み、第２の電源部８から電力が供給されていれば（ステップ＃１０２のＹＥＳ）、ステップ＃１０３へ進む。
【００２９】
この場合、ＲＦＩＤリーダライタ２００はＬ１とＬ２との間にあるので、ＲＦＩＤリーダライタ２００からの電波強度は第２のアンテナ部７の受信感度にとっては不十分である。したがって、第２の電源部８は電力を抽出し得ず、第２の電源部８から制御部５へは電力が送られない。このため、制御部５は、ステップ＃１０２のＮＯに応じてステップ＃１０９へ進み、ステップ＃１０１で受信したデータアクセス要求に従うメモリ部６へのアクセスを禁止し、データ送信部４を介してＲＦＩＤリーダライタ２００へエラー応答を送信する（ステップ＃１１０）。
【００３０】
ここで、ＲＦＩＤリーダライタ２００は、正規の通信機器であるとは限らず、不正な通信機器である場合も考えられる。この実施の形態１では、ＲＦＩＤリーダライタ２００が正規の通信機器であるか否かに拘わらず、遠距離のＲＦＩＤリーダライタ２００からのＲＦＩＤタグ１０１内のメモリ部６へのアクセスは禁止される。これにより、遠距離からの不正アクセスが防止される。
【００３１】
〔ＲＦＩＤリーダライタが近距離にある場合〕
今、図３に示すように、ＲＦＩＤリーダライタ２００が近距離（Ｌ２内）にあるものとする。この場合、ＲＦＩＤリーダライタ２００からの電波強度は、ＲＦＩＤタグ１０１の第２のアンテナ部７の受信感度にとっても十分強いものとなる。これにより、第１の電源部２は第１のアンテナ部１が受信した電波より電力を抽出し、第２の電源部８は第２のアンテナ部７が受信した電波より電力を抽出し、抽出した電力をそれぞれ制御部５へ送る。
【００３２】
制御部５は、第１の電源部２からの電力を受けて作動し、第１のアンテナ部１が受信した電波内に含まれているコマンドがデータアクセス要求であるかどうかをチェックする（ステップ＃１０１）。ここで、データアクセス要求であれば（ステップ＃１０１のＹＥＳ）、第２の電源部８から電力が供給されているか否かをチェックする（ステップ＃１０２）。そして、第２の電源部８から電力が供給されていなければ、ステップ＃１０９へ進み、第２の電源部８から電力が供給されていれば、ステップ＃１０３へ進む。
【００３３】
この場合、ＲＦＩＤリーダライタ２００はＬ２内にあるので、ＲＦＩＤリーダライタ２００からの電波強度が第２のアンテナ部７の受信感度にとっても十分強いものとなっており、第２の電源部８から制御部５へ電力が供給される。このため、制御部５は、ステップ＃１０２のＹＥＳに応じてステップ＃１０３へ進み、ステップ＃１０１で受信したデータアクセス要求に従うメモリ部６へのアクセスを許可する。そして、そのデータアクセス要求がデータ読み出し要求であるのか、データ書き込み要求であるのかをチェックする（ステップ＃１０４）。
【００３４】
データアクセス要求がデータ読み出し要求であった場合、制御部５は、要求されたデータをメモリ部６から読み出し（ステップ＃１０５）、読み出したデータをデータ送信部４を介してＲＦＩＤリーダライタ２００に返信する（ステップ＃１０６）。
【００３５】
データアクセス要求がデータ書き込み要求であった場合、制御部５は、受信したデータをメモリ部６に書き込み（ステップ＃１０７）、書き込みに成功した旨を示す応答をデータ送信部４を介してＲＦＩＤリーダライタ２００へ返信する（ステップ＃１０８）。
【００３６】
ここで、ＲＦＩＤリーダライタ２００は、正規の通信機器であるとは限らず、不正な通信機器である場合も考えられる。この実施の形態１では、ＲＦＩＤリーダライタ２００が正規の通信機器であるか否かに拘わらず、近距離のＲＦＩＤリーダライタ２００からのＲＦＩＤタグ１０１内のメモリ部６へのアクセスが許可される。しかし、不正アクセスが行われたとしても、その不正アクセスは近距離からの不正アクセスであるので、人間が視覚的に容易に確認することが可能である。これにより、ＲＦＩＤタグ１０１の使用者が意図しないうちに、また気付かないうちに不正なアクセスを受けることを防ぐことができる。
【００３７】
〔実施の形態１’〕
図１に示したＲＦＩＤタグ１０１の構成では、第１のアンテナ部１と第２のアンテナ部７の通信周波数を同一としているが、第１のアンテナ部１の通信周波数と第２のアンテナ部７の通信周波数とを異ならせ、第２のアンテナ部７への電波供給源を別に設けるようにしてもよい。
【００３８】
例えば、図４に示すように、第１のアンテナ部１の通信周波数と第２のアンテナ部７の通信周波数とを異ならせ、ＲＦＩＤリーダライタ２００とは別に、第２のアンテナ部７への電波供給源３００を設けるようにする。
【００３９】
このＲＦＩＤタグ１０１’では、電波供給源３００を第２のアンテナ部７の通信可能距離Ｌ２内に位置させると、電波供給源３００からの電波を第２のアンテナ部７が受信する。受信された電波の電波強度は、第２のアンテナ部７の受信感度にとっても十分強いものとなっているため、その受信電波より第２の電源部８が電力を抽出する。これにより、制御部５において、ＲＦＩＤリーダライタ２００からのメモリ部６へのアクセスが許可される。
【００４０】
この実施の形態１’では、電波供給源３００を用いることにより、ＲＦＩＤリーダライタ２００が正規の通信機器であるか否かに拘わらず、ＲＦＩＤリーダライタ２００からのＲＦＩＤタグ１０１’内のメモリ部６へのアクセスが許可される。しかし、電波供給源３００をＲＦＩＤタグ１０１’に近づけなければならず、人間が視覚的に容易に不正アクアセスを確認することが可能である。図５に、このＲＦＩＤタグ１０１’の利用イメージ図を示す。
【００４１】
〔実施の形態２〕
図６は本発明に係るＲＦＩＤタグの第２の実施の形態（実施の形態２）の概略構成を示すブロック図である。この実施の形態２のＲＦＩＤタグ１０２では、実施の形態１のＲＦＩＤタグ１０１に対して、メモリ部６を保護メモリ部６Ａと非保護メモリ部６Ｂとに分割した構成とし、保護メモリ部６Ａに保護の対象となるデータを格納するようにし、非保護メモリ部６Ｂに保護の対象とならないデータを格納するようにしている。
【００４２】
実施の形態１では、メモリ部６に格納されているデータはすべて保護の対象としていたが、データの種類によっては保護の必要がないものもあると考えられる。このため、実施の形態２では、データの種類によって格納するメモリ部を変えることによって、保護の必要があるデータのみを不正アクセス防止の対象とし、データ活用の利便性をさらに上げるようにする。以下、図７に示すフローチャートに従って、この実施の形態２のＲＦＩＤタグ１０２の制御部５が有するアクセス禁止／許可機能について説明する。
【００４３】
〔ＲＦＩＤリーダライタが遠距離にある場合〕
今、図６に示すように、ＲＦＩＤリーダライタ２００が遠距離（Ｌ１とＬ２との間）にあるものとする。この場合、ＲＦＩＤリーダライタ２００からの電波がＲＦＩＤタグ１０２の第１のアンテナ部１で受信され、この第１のアンテナ部１が受信した電波より抽出された電力が第１の電源部２から制御部５へ与えられる。制御部５は、この第１の電源部２からの電力を受けて作動し、第１のアンテナ部１が受信した電波内に含まれているコマンドがデータアクセス要求であるかどうかをチェックする（ステップ＃２０１）。
【００４４】
ここで、ＲＦＩＤリーダライタ２００からのコマンドがデータアクセス要求であれば（ステップ＃２０１のＹＥＳ）、保護メモリ部６Ａへのアクセス要求であるか否かをチェックし（ステップ＃２０２）、保護メモリ部６Ａへのアクセス要求であれば（ステップ＃２０２のＹＥＳ）、ステップ＃２０３へ進み、保護メモリ部６Ａへのアクセス要求でなければ（ステップ＃２０２のＮＯ）、ステップ＃２０５へ進む。
【００４５】
〔保護メモリ部へのアクセス要求である場合〕
制御部５は、保護メモリ部６Ａへのアクセス要求であった場合（ステップ＃２０２のＹＥＳ）、第２の電源部８から電力が供給されているか否かをチェックする（ステップ＃２０３）。ここで、第２の電源部８から電力が供給されていなければ（ステップ＃２０３のＮＯ）、ステップ＃２１０へ進み、第２の電源部８から電力が供給されていれば（ステップ＃２０３のＹＥＳ）、ステップ＃２０４へ進む。
【００４６】
この場合、ＲＦＩＤリーダライタ２００はＬ１とＬ２との間にあるので、ＲＦＩＤリーダライタ２００からの電波強度は第２のアンテナ部７の受信感度にとっては不十分である。したがって、第２の電源部８は電力を抽出し得ず、第２の電源部８から制御部５へは電力が送られない。このため、制御部５は、ステップ＃２０３のＮＯに応じてステップ＃２１０へ進み、ステップ＃２０１で受信したデータアクセス要求に従う保護メモリ部６Ａへのアクセスを禁止し、データ送信部４を介してＲＦＩＤリーダライタ２００へエラー応答を送信する（ステップ＃２１１）。
【００４７】
〔保護メモリ部へのアクセス要求でない場合〕
制御部５は、保護メモリ部６Ａへのアクセス要求でなかった場合（ステップ＃２０２のＮＯ）、非保護メモリ部６Ｂへのアクセス要求であると判断し、そのアクセス要求がデータ読み出し要求であるのか、データ書き込み要求であるのかをチェックする（ステップ＃２０５）。
【００４８】
アクセス要求がデータ読み出し要求であった場合、制御部５は、要求されたデータを非保護メモリ部６Ｂから読み出し（ステップ＃２０６）、読み出したデータをデータ送信部４を介してＲＦＩＤリーダライタ２００に返信する（ステップ＃２０７）。
【００４９】
アクセス要求がデータ書き込み要求であった場合、制御部５は、受信したデータを非保護メモリ部６Ｂに書き込み（ステップ＃２０８）、書き込みに成功した旨を示す応答をデータ送信部４を介してＲＦＩＤリーダライタ２００へ返信する（ステップ＃２０９）。
【００５０】
ここで、ＲＦＩＤリーダライタ２００は、正規の通信機器であるとは限らず、不正な通信機器である場合も考えられる。この実施の形態２では、ＲＦＩＤリーダライタ２００が正規の通信機器であるか否かに拘わらず、遠距離のＲＦＩＤリーダライタ２００からのＲＦＩＤタグ１０２内の非保護メモリ部６Ｂへのアクセスは許可されるが、保護メモリ部６Ａへのアクセスは禁止される。これにより、保護を必要としないデータに対しては遠距離からのアクセスを可能とし、保護を必要とするデータのみを遠距離からの不正アクセスから適切に保護することができる。
【００５１】
〔ＲＦＩＤリーダライタが近距離にある場合〕
今、図８に示すように、ＲＦＩＤリーダライタ２００が近距離（Ｌ２内）にあるものとする。この場合、ＲＦＩＤリーダライタ２００からの電波強度は、ＲＦＩＤタグ１０２の第２のアンテナ部７の受信感度にとっても十分強いものとなる。これにより、第１の電源部２は第１のアンテナ部１が受信した電波より電力を抽出し、第２の電源部８は第２のアンテナ部７が受信した電波より電力を抽出し、抽出した電力をそれぞれ制御部５へ送る。制御部５は、第１の電源部２からの電力を受けて作動し、第１のアンテナ部１が受信した電波内に含まれているコマンドがデータアクセス要求であるかどうかをチェックする（ステップ＃２０１）。
【００５２】
ここで、ＲＦＩＤリーダライタ２００からのコマンドがデータアクセス要求であれば（ステップ＃２０１のＹＥＳ）、保護メモリ部６Ａへのアクセス要求であるか否かをチェックし（ステップ＃２０２）、保護メモリ部６Ａへのアクセス要求であれば（ステップ＃２０２のＹＥＳ）、ステップ＃２０３へ進み、保護メモリ部６Ａへのアクセス要求でなければ（ステップ＃２０２のＮＯ）、ステップ＃２０５へ進む。
【００５３】
〔保護メモリ部へのアクセス要求である場合〕
制御部５は、保護メモリ部６Ａへのアクセス要求であった場合（ステップ＃２０２のＹＥＳ）、第２の電源部８から電力が供給されているか否かをチェックする（ステップ＃２０３）。ここで、第２の電源部８から電力が供給されていなければ（ステップ＃２０３のＮＯ）、ステップ＃２１０へ進み、第２の電源部８から電力が供給されていれば（ステップ＃２０３のＹＥＳ）、ステップ＃２０４へ進む。
【００５４】
この場合、ＲＦＩＤリーダライタ２００はＬ２内にあるので、ＲＦＩＤリーダライタ２００からの電波強度が第２のアンテナ部７の受信感度にとっても十分強いものとなっており、第２の電源部８から制御部５へ電力が供給される。このため、制御部５は、ステップ＃２０３のＹＥＳに応じてステップ＃２０４へ進み、ステップ＃２０１で受信したデータアクセス要求に従う保護メモリ部６Ａへのアクセスを許可する。そして、その保護メモリ部６Ａへのアクセス要求がデータ読み出し要求であるのか、データ書き込み要求であるのかをチェックする（ステップ＃２０５）。
【００５５】
アクセス要求がデータ読み出し要求であった場合、制御部５は、要求されたデータを保護メモリ部６Ａから読み出し（ステップ＃２０６）、読み出したデータをデータ送信部４を介してＲＦＩＤリーダライタ２００に返信する（ステップ＃２０７）。
【００５６】
アクセス要求がデータ書き込み要求であった場合、制御部５は、受信したデータを保護メモリ部６Ａに書き込み（ステップ＃２０８）、書き込みに成功した旨を示す応答をデータ送信部４を介してＲＦＩＤリーダライタ２００へ返信する（ステップ＃２０９）。
【００５７】
ここで、ＲＦＩＤリーダライタ２００は、正規の通信機器であるとは限らず、不正な通信機器である場合も考えられる。この実施の形態２では、ＲＦＩＤリーダライタ２００が正規の通信機器であるか否かに拘わらず、近距離のＲＦＩＤリーダライタ２００からのＲＦＩＤタグ１０２内の保護メモリ部６Ａへのアクセスが許可される。しかし、不正アクセスが行われたとしても、その不正アクセスは近距離からの不正アクセスであるので、人間が視覚的に容易に確認することが可能である。これにより、ＲＦＩＤタグ１０２の使用者が意図しないうちに、また気付かないうちに不正なアクセスを受けることを防ぐことができる。
【００５８】
〔実施の形態２’〕
図６に示したＲＦＩＤタグ１０２の構成では、第１のアンテナ部１と第２のアンテナ部７の通信周波数を同一としているが、第１のアンテナ部１の通信周波数と第２のアンテナ部７の通信周波数とを異ならせ、第２のアンテナ部７への電波供給源を別に設けるようにしてもよい。
【００５９】
例えば、図９に示すように、第１のアンテナ部１の通信周波数と第２のアンテナ部７の通信周波数とを異ならせ、ＲＦＩＤリーダライタ２００とは別に、第２のアンテナ部７への電波供給源３００を設けるようにする。
【００６０】
このＲＦＩＤタグ１０２’では、電波供給源３００を第２のアンテナ部７の通信可能距離Ｌ２内に位置させると、電波供給源３００からの電波を第２のアンテナ部７が受信する。受信された電波の電波強度は、第２のアンテナ部７の受信感度にとっても十分強いものとなっているため、その受信電波より第２の電源部８が電力を抽出する。これにより、制御部５において、ＲＦＩＤリーダライタ２００からの保護メモリ部６Ａへのアクセスが許可される。
【００６１】
この実施の形態２’では、電波供給源３００を用いることにより、ＲＦＩＤリーダライタ２００が正規の通信機器であるか否かに拘わらず、ＲＦＩＤリーダライタ２００からのＲＦＩＤタグ１０２’内の保護メモリ部６Ａへのアクセスが許可される。しかし、電波供給源３００をＲＦＩＤタグ１０２’に近づけなければならず、人間が視覚的に容易に不正アクアセスを確認することが可能である。
【００６２】
〔実施の形態３〕
図１０は本発明に係るＲＦＩＤタグの第３の実施の形態（実施の形態３）の概略構成を示すブロック図である。この実施の形態３のＲＦＩＤタグ１０３では、実施の形態１のＲＦＩＤタグ１０１に対して、メモリ部６をデータメモリ部６Ｃとフラグメモリ部６Ｄとに分割した構成とし、データメモリ部６ＣにＩＤやユーザデータなどを格納するようにし、フラグメモリ部６Ｄにデータメモリ部６Ｃの各アドレスに対応づけてそのアドレスを保護の対象とするか否かを示すフラグ値を格納するようにしている。
【００６３】
図１１にデータメモリ部６Ｃの各アドレスとフラグメモリ部６Ｄにおけるフラグ値との関係を示す。データメモリ部６Ｃとフラグメモリ部６Ｄとは同一アドレス構成とされており、フラグメモリ部６Ｄの各アドレスに、データメモリ部６Ｃの対応するアドレスへのデータの書き込みや読み出しの可否（保護／非保護）を指定するフラグ値を格納する（図１１（ａ））。この実施の形態では、フラグ値が「１」の場合を保護状態、フラグ値が「０」の場合を非保護状態としている。これにより、図１１（ｂ）に斜線で示すように、データメモリ部６Ｃにおけるアドレスのうち、フラグメモリ部６Ｄにフラグ値「１」が格納されたアドレスが保護状態のアドレスとされる。
【００６４】
なお、この例では、データメモリ部６Ｃのアドレス毎に保護・非保護を指定するようにしているが、データメモリ部６Ｃを複数のアドレスから構成されるブロックに分け、フラグメモリ部６Ｄでは各々のブロックについて保護・非保護を指定するようにしてもよい。
【００６５】
実施の形態１では、メモリ部６に格納されているデータはすべて保護の対象としていたが、データの種類によっては保護の必要がないものもあると考えられる。このため、実施の形態３では、フラグメモリ部６Ｄのフラグ値によってデータメモリ部６Ｃの対応するアドレスへのデータの書き込みや読み出しの可否を指定することによって、保護の必要があるデータのみを不正アクセス防止の対象とし、データ活用の利便性をさらに上げるようにする。以下、図１２に示すフローチャートに従って、この実施の形態３のＲＦＩＤタグ１０３の制御部５が有するアクセス禁止／許可機能について説明する。
【００６６】
〔ＲＦＩＤリーダライタが遠距離にある場合〕
今、図１０に示すように、ＲＦＩＤリーダライタ２００が遠距離（Ｌ１とＬ２との間）にあるものとする。この場合、ＲＦＩＤリーダライタ２００からの電波がＲＦＩＤタグ１０２の第１のアンテナ部１で受信され、この第１のアンテナ部１が受信した電波より抽出された電力が第１の電源部２から制御部５へ与えられる。制御部５は、この第１の電源部２からの電力を受けて作動し、第１のアンテナ部１が受信した電波内に含まれているコマンドがデータアクセス要求であるかどうかをチェックする（ステップ＃３０１）。
【００６７】
ここで、ＲＦＩＤリーダライタ２００からのコマンドがデータアクセス要求であれば（ステップ＃３０１のＹＥＳ）、データメモリ部６Ｃへのアクセス要求であるのか、フラグメモリ部６Ｄへのアクセス要求であるのかをチェックし（ステップ＃３０２）、データメモリ部６Ｃへのアクセス要求であれば、ステップ＃３０３へ進み、フラグメモリ部６Ｄへのアクセス要求であれば、ステップ＃３０４へ進む。
【００６８】
〔フラグメモリ部へのアクセス要求である場合〕
制御部５は、フラグメモリ部６Ｄへのアクセス要求であった場合、第２の電源部８から電力が供給されているか否かをチェックする（ステップ＃３０４）。ここで、第２の電源部８から電力が供給されていなければ（ステップ＃３０４のＮＯ）、ステップ＃３１１へ進み、第２の電源部８から電力が供給されていれば（ステップ＃３０４のＹＥＳ）、ステップ＃３０５へ進む。
【００６９】
この場合、ＲＦＩＤリーダライタ２００はＬ１とＬ２との間にあるので、ＲＦＩＤリーダライタ２００からの電波強度は第２のアンテナ部７の受信感度にとっては不十分である。したがって、第２の電源部８は電力を抽出し得ず、第２の電源部８から制御部５へは電力が送られない。このため、制御部５は、ステップ＃３０４のＮＯに応じてステップ＃３１１へ進み、ステップ＃３０１で受信したデータアクセス要求に従うフラグメモリ部６Ｄへのアクセスを禁止し、データ送信部４を介してＲＦＩＤリーダライタ２００へエラー応答を送信する（ステップ＃３１２）。
【００７０】
〔データメモリ部へのアクセス要求である場合〕
制御部５は、データメモリ部６Ｃへのアクセス要求であった場合、そのアクセス要求があったデータメモリ部６Ｃのアドレスが保護状態であるか否かを、フラグメモリ部６Ｄの対応するアドレスにアクセスすることによってチェックする（ステップ＃３０３）。ここで、保護状態であれば（ステップ＃３０３のＹＥＳ）、ステップ＃３０４へ進み、保護状態でなければ（ステップ＃３０３のＮＯ）、ステップ＃３０６へ進む。
【００７１】
〔保護状態である場合〕
制御部５は、アクセス要求があったデータメモリ部６Ｃのアドレスが保護状態であった場合（ステップ＃３０３のＹＥＳ）、第２の電源部８から電力が供給されているか否かをチェックする（ステップ＃３０４）。ここで、第２の電源部８から電力が供給されていなければ、ステップ＃３１１へ進み、第２の電源部８から電力が供給されていれば、ステップ＃３０５へ進む。
【００７２】
この場合、ＲＦＩＤリーダライタ２００はＬ１とＬ２との間にあるので、ＲＦＩＤリーダライタ２００からの電波強度は第２のアンテナ部７の受信感度にとっては不十分である。したがって、第２の電源部８は電力を抽出し得ず、第２の電源部８から制御部５へは電力が送られない。このため、制御部５は、ステップ＃３０４のＮＯに応じてステップ＃３１１へ進み、ステップ＃３０１で受信したデータアクセス要求に従うデータメモリ部６Ｃへのアクセスを禁止し、データ送信部４を介してＲＦＩＤリーダライタ２００へエラー応答を送信する（ステップ＃３１２）。
【００７３】
〔保護状態でない場合（非保護状態である場合）〕
制御部５は、アクセス要求があったデータメモリ部６Ｃのアドレスが保護状態でなかった場合（ステップ＃３０３のＮＯ）、データメモリ部６Ｃへのアクセスが可能であると判断し、そのアクセス要求がデータ読み出し要求であるのか、データ書き込み要求であるのかをチェックする（ステップ＃３０６）。
【００７４】
アクセス要求がデータ読み出し要求であった場合、制御部５は、要求されたデータをデータメモリ部６Ｃから読み出し（ステップ＃３０７）、読み出したデータをデータ送信部４を介してＲＦＩＤリーダライタ２００に返信する（ステップ＃３０８）。
【００７５】
アクセス要求がデータ書き込み要求であった場合、制御部５は、受信したデータをデータメモリ部６Ｃに書き込み（ステップ＃３０９）、書き込みに成功した旨を示す応答をデータ送信部４を介してＲＦＩＤリーダライタ２００へ返信する（ステップ＃３１０）。
【００７６】
ここで、ＲＦＩＤリーダライタ２００は、正規の通信機器であるとは限らず、不正な通信機器である場合も考えられる。この実施の形態３では、ＲＦＩＤリーダライタ２００が正規の通信機器であるか否かに拘わらず、遠距離のＲＦＩＤリーダライタ２００からのＲＦＩＤタグ１０２内のデータメモリ部６Ｃの非保護状態のアドレスへのアクセスは許可されるが、保護状態のアドレスへのアクセスは禁止される。これにより、保護を必要としないデータに対しては遠距離からのアクセスを可能とし、保護を必要とするデータのみを遠距離からの不正アクセスから適切に保護することができる。
【００７７】
また、この実施の形態３では、ＲＦＩＤリーダライタ２００が正規の通信機器であるか否かに拘わらず、遠距離のＲＦＩＤリーダライタ２００からのフラグメモリ部６Ｄへのアクセスも禁止されるので、データメモリ部６Ｃのアドレスに対する保護状態や非保護状態の指定が不正に書き替えられてしまう虞れもない。
【００７８】
〔ＲＦＩＤリーダライタが近距離にある場合〕
今、図１３に示すように、ＲＦＩＤリーダライタ２００が近距離（Ｌ２内）にあるものとする。この場合、ＲＦＩＤリーダライタ２００からの電波強度は、ＲＦＩＤタグ１０２の第２のアンテナ部７の受信感度にとっても十分強いものとなる。これにより、第１の電源部２は第１のアンテナ部１が受信した電波より電力を抽出し、第２の電源部８は第２のアンテナ部７が受信した電波より電力を抽出し、抽出した電力をそれぞれ制御部５へ送る。制御部５は、第１の電源部２からの電力を受けて作動し、第１のアンテナ部１が受信した電波内に含まれているコマンドがデータアクセス要求であるかどうかをチェックする（ステップ＃３０１）。
【００７９】
ここで、ＲＦＩＤリーダライタ２００からのコマンドがデータアクセス要求であれば（ステップ＃３０１のＹＥＳ）、データメモリ部６Ｃへのアクセス要求であるのか、フラグメモリ部６Ｄへのアクセス要求であるのかをチェックし（ステップ＃３０２）、データメモリ部６Ｃへのアクセス要求であれば、ステップ＃３０３へ進み、フラグメモリ部６Ｄへのアクセス要求であれば、ステップ＃３０４へ進む。
【００８０】
〔フラグメモリ部へのアクセス要求である場合〕
制御部５は、フラグメモリ部６Ｄへのアクセス要求であった場合、第２の電源部８から電力が供給されているか否かをチェックする（ステップ＃３０４）。ここで、第２の電源部８から電力が供給されていなければ（ステップ＃３０４のＮＯ）、ステップ＃３１１へ進み、第２の電源部８から電力が供給されていれば（ステップ＃３０４のＹＥＳ）、ステップ＃３０５へ進む。
【００８１】
この場合、ＲＦＩＤリーダライタ２００はＬ２内にあるので、ＲＦＩＤリーダライタ２００からの電波強度が第２のアンテナ部７の受信感度にとっても十分強いものとなっており、第２の電源部８から制御部５へ電力が供給される。このため、制御部５は、ステップ＃３０４のＹＥＳに応じてステップ＃３０５へ進み、ステップ＃３０１で受信したデータアクセス要求に従うフラグメモリ部６Ｄへのアクセスを許可する。そして、そのフラグメモリ部６Ｄへのアクセス要求がデータ読み出し要求であるのか、データ書き込み要求であるのかをチェックする（ステップ＃３０６）。
【００８２】
アクセス要求がデータ読み出し要求であった場合、制御部５は、要求されたデータをフラグメモリ部６Ｄから読み出し（ステップ＃３０７）、読み出したデータをデータ送信部４を介してＲＦＩＤリーダライタ２００に返信する（ステップ＃３０８）。
【００８３】
アクセス要求がデータ書き込み要求であった場合、制御部５は、受信したデータをフラグメモリ部６Ｄに書き込み（ステップ＃３０９）、書き込みに成功した旨を示す応答をデータ送信部４を介してＲＦＩＤリーダライタ２００へ返信する（ステップ＃３１０）。
【００８４】
〔データメモリ部へのアクセス要求である場合〕
制御部５は、データメモリ部６Ｃへのアクセス要求であった場合、そのアクセス要求があったデータメモリ部６Ｃのアドレスが保護状態であるか否かを、フラグメモリ部６Ｄの対応するアドレスにアクセスすることによってチェックする（ステップ＃３０３）。ここで、保護状態であれば（ステップ＃３０３のＹＥＳ）、ステップ＃３０４へ進み、保護状態でなければ（ステップ＃３０３のＮＯ）、ステップ＃３０６へ進む。
【００８５】
〔保護状態である場合〕
制御部５は、アクセス要求があったデータメモリ部６Ｃのアドレスが保護状態であった場合（ステップ＃３０３のＹＥＳ）、第２の電源部８から電力が供給されているか否かをチェックする（ステップ＃３０４）。ここで、第２の電源部８から電力が供給されていなければ（ステップ＃３０４のＮＯ）、ステップ＃３１１へ進み、第２の電源部８から電力が供給されていれば（ステップ＃３０４のＹＥＳ）、ステップ＃３０５へ進む。
【００８６】
この場合、ＲＦＩＤリーダライタ２００はＬ２内にあるので、ＲＦＩＤリーダライタ２００からの電波強度が第２のアンテナ部７の受信感度にとっても十分強いものとなっており、第２の電源部８から制御部５へ電力が供給される。このため、制御部５は、ステップ＃３０４のＹＥＳに応じてステップ＃３０５へ進み、ステップ＃３０１で受信したデータアクセス要求に従うデータメモリ部６Ｃへのアクセスを許可する。そして、そのデータメモリ部６Ｃへのアクセス要求がデータ読み出し要求であるのか、データ書き込み要求であるのかをチェックする（ステップ＃３０６）。
【００８７】
アクセス要求がデータ読み出し要求であった場合、制御部５は、要求されたデータをデータメモリ部６Ｃから読み出し（ステップ＃３０７）、読み出したデータをデータ送信部４を介してＲＦＩＤリーダライタ２００に返信する（ステップ＃３０８）。
【００８８】
アクセス要求がデータ書き込み要求であった場合、制御部５は、受信したデータをデータメモリ部６Ｃに書き込み（ステップ＃３０９）、書き込みに成功した旨を示す応答をデータ送信部４を介してＲＦＩＤリーダライタ２００へ返信する（ステップ＃３１０）。
【００８９】
〔保護状態でない場合（非保護状態である場合）〕
制御部５は、アクセス要求があったデータメモリ部６Ｃのアドレスが保護状態でなかった場合（ステップ＃３０３のＮＯ）、そのアクセス要求がデータ読み出し要求であるのか、データ書き込み要求であるのかをチェックし（ステップ＃３０６）、そのチック結果に従って、データメモリ部６Ｃからのデータの読み出し処理（ステップ３０７〜３０８）やデータメモリ部６Ｃへのデータの書き込み処理を行う（ステップ３０９〜３１０）。
【００９０】
ここで、ＲＦＩＤリーダライタ２００は、正規の通信機器であるとは限らず、不正な通信機器である場合も考えられる。この実施の形態３では、ＲＦＩＤリーダライタ２００が正規の通信機器であるか否かに拘わらず、近距離のＲＦＩＤリーダライタ２００からのＲＦＩＤタグ１０３内のデータメモリ部６Ｃへのアクセスは保護状態／非保護状態の区別なく全て許可される。また、ＲＦＩＤタグ１０３内のフラグメモリ部６Ｄへのアクセスも許可される。しかし、不正アクセスが行われたとしても、その不正アクセスは近距離からの不正アクセスであるので、人間が視覚的に容易に確認することが可能である。これにより、ＲＦＩＤタグ１０３の使用者が意図しないうちに、また気付かないうちに不正なアクセスを受けることを防ぐことができる。
【００９１】
〔実施の形態３’〕
図１０に示したＲＦＩＤタグ１０３では、第１のアンテナ部１と第２のアンテナ部７の通信周波数を同一としているが、第１のアンテナ部１の通信周波数と第２のアンテナ部７の通信周波数とを異ならせ、第２のアンテナ部７への電波供給源を別に設けるようにしてもよい。
【００９２】
例えば、図１４に示すように、第１のアンテナ部１の通信周波数と第２のアンテナ部７の通信周波数とを異ならせ、ＲＦＩＤリーダライタ２００とは別に、第２のアンテナ部７への電波供給源３００を設けるようにする。
【００９３】
このＲＦＩＤタグ１０３’では、電波供給源３００を第２のアンテナ部７の通信可能距離Ｌ２内に位置させると、電波供給源３００からの電波を第２のアンテナ部７が受信する。受信された電波の電波強度は、第２のアンテナ部７の受信感度にとっても十分強いものとなっているため、その受信電波より第２の電源部８が電力を抽出する。これにより、制御部５において、ＲＦＩＤリーダライタ２００からのデータメモリ部６Ｃにおける保護状態とされたアドレスへのアクセスが許可される。
【００９４】
この実施の形態３’では、電波供給源３００を用いることにより、ＲＦＩＤリーダライタ２００が正規の通信機器であるか否かに拘わらず、ＲＦＩＤリーダライタ２００からのＲＦＩＤタグ１０３’内のデータメモリ部６Ｃにおける保護状態とされたアドレスへのアクセスが許可される。しかし、電波供給源３００をＲＦＩＤタグ１０３’に近づけなければならず、人間が視覚的に容易に不正アクアセスを確認することが可能である。
【００９５】
〔実施の形態４〕
図１５は本発明に係るＲＦＩＤタグの第４の実施の形態（実施の形態４）の概略構成を示すブロック図である。この実施の形態４のＲＦＩＤタグ１０４では、実施の形態２のＲＦＩＤタグ１０２に対して一部を変更した構成としている。すなわち、第２のアンテナ部７を外部電力の９供給のための電波受信のみに用いるのではなく、ＲＦＩＤリーダライタ２００との間のデータ通信も可能な構成としている。
【００９６】
具体的には、第１のアンテナ部１に対するデータ受信部３およびデータ送信部４を第１のデータ受信部および第１のデータ送信部とし、第２のアンテナ部７に対して第２のデータ受信部９および第２のデータ送信部１０を設けている。第２のデータ受信部９は、第１のデータ受信部３と同様に、ＲＦＩＤリーダライタ２００から受信した電波内に含まれているコマンドをデコードして制御部５に送信する。第２のデータ送信部１０は、第１のデータ送信部４と同様に、制御部５から送信されてきた返信データを第２のアンテナ部７からの送信電波内にエンコードする。
【００９７】
実施の形態２では、第２のアンテナ部７および第２の電源部８は、第１のアンテナ部１を介してＲＦＩＤリーダライタ２００が保護メモリ部６Ａへのアクセスを許可するか否かを判断するためのみに用いられており、第２のアンテナ部７を介したデータ通信を行なうことはできない。そこで、実施の形態４では、第２のアンテナ部７に対して第２のデータ受信部９および第２のデータ送信部１０を設けることによって、第２のアンテナ部７を介するデータ通信を可能とし、データ活用の利便性をさらに上げるようにする。
【００９８】
以下、図１６に示すフローチャートに従って、この実施の形態４のＲＦＩＤタグ１０４の制御部５が有するアクセス禁止／許可機能について説明する。なお、図１０に示した実施の形態３のＲＦＩＤタグ１０３についても、第２のアンテナ部７、第２の電源部８、第２のデータ受信部９および第２のデータ送信部１０を具備する構成とすることで、実施の形態４と同様の効果を得ることが可能である。
【００９９】
〔ＲＦＩＤリーダライタが遠距離にある場合〕
今、図１５に示すように、ＲＦＩＤリーダライタ２００が遠距離（Ｌ１とＬ２との間）にあるものとする。この場合、ＲＦＩＤリーダライタ２００からの電波がＲＦＩＤタグ１０２の第１のアンテナ部１で受信され、この第１のアンテナ部１が受信した電波より抽出された電力が第１の電源部２から制御部５へ与えられる。制御部５は、この第１の電源部２からの電力を受けて作動し、第１のアンテナ部１が受信した電波内に含まれているコマンドがデータアクセス要求であるかどうかをチェックする（ステップ＃４０１）。
【０１００】
ここで、ＲＦＩＤリーダライタ２００からのコマンドがデータアクセス要求であれば（ステップ＃４０１のＹＥＳ）、第２の電源部８から電力が供給されているか否かをチェックし（ステップ＃４０２）、第２の電源部８から電力が供給されていなければ（ステップ＃４０２のＮＯ）、ステップ＃４０３へ進み、第２の電源部８から電力が供給されていれば（ステップ＃４０２のＹＥＳ）、ステップ＃４１１へ進む。
【０１０１】
この場合、ＲＦＩＤリーダライタ２００はＬ１とＬ２との間にあるので、ＲＦＩＤリーダライタ２００からの電波強度は第２のアンテナ部７の受信感度にとっては不十分である。したがって、第２の電源部８は電力を抽出し得ず、第２の電源部８から制御部５へは電力が送られない。このため、制御部５は、ステップ＃４０２のＮＯに応じてステップ＃４０３へ進み、第１のアンテナ部１を介するデータアクセス要求が保護メモリ部６Ａへのアクセス要求であるか否かをチェックする。
【０１０２】
〔保護メモリ部へのアクセス要求である場合〕
制御部５は、保護メモリ部６Ａへのアクセス要求であった場合（ステップ＃４０３のＹＥＳ）、ステップ＃４０１で受信したデータアクセス要求に従う保護メモリ部６Ａへのアクセスを禁止し（ステップ＃４０９）、第１のデータ送信部４を介してＲＦＩＤリーダライタ２００へエラー応答を送信する（ステップ＃４１０）。
【０１０３】
〔保護メモリ部へのアクセス要求でない場合〕
制御部５は、保護メモリ部６Ａへのアクセス要求でなかった場合（ステップ＃４０３のＮＯ）、非保護メモリ部６Ｂへのアクセス要求であると判断し、そのアクセス要求がデータ読み出し要求であるのか、データ書き込み要求であるのかをチェックする（ステップ＃４０４）。
【０１０４】
アクセス要求がデータ読み出し要求であった場合、制御部５は、要求されたデータを非保護メモリ部６Ｂから読み出し（ステップ＃４０５）、読み出したデータを第１のデータ送信部４を介してＲＦＩＤリーダライタ２００に返信する（ステップ＃４０６）。
【０１０５】
アクセス要求がデータ書き込み要求であった場合、制御部５は、第１の受信したデータを非保護メモリ部６Ｂに書き込み（ステップ＃４０７）、書き込みに成功した旨を示す応答を第１のデータ送信部４を介してＲＦＩＤリーダライタ２００へ返信する（ステップ＃４０８）。
【０１０６】
ここで、ＲＦＩＤリーダライタ２００は、正規の通信機器であるとは限らず、不正な通信機器である場合も考えられる。この実施の形態４では、ＲＦＩＤリーダライタ２００が正規の通信機器であるか否かに拘わらず、遠距離のＲＦＩＤリーダライタ２００からのＲＦＩＤタグ１０４内の非保護メモリ部６Ｂへのアクセスは許可されるが、保護メモリ部６Ａへのアクセスは禁止される。これにより、保護を必要としないデータに対しては遠距離からのアクセスを可能とし、保護を必要とするデータのみを遠距離からの不正アクセスから適切に保護することができる。
【０１０７】
〔ＲＦＩＤリーダライタが近距離にある場合〕
今、図１７に示すように、ＲＦＩＤリーダライタ２００が近距離（Ｌ２内）にあるものとする。この場合、ＲＦＩＤリーダライタ２００からの電波強度は、ＲＦＩＤタグ１０２の第２のアンテナ部７の受信感度にとっても十分強いものとなる。これにより、第１の電源部２は第１のアンテナ部１が受信した電波より電力を抽出し、第２の電源部８は第２のアンテナ部７が受信した電波より電力を抽出し、抽出した電力をそれぞれ制御部５へ送る。制御部５は、第１の電源部２からの電力を受けて作動し、第１のアンテナ部１が受信した電波内に含まれているコマンドがデータアクセス要求であるかどうかをチェックする（ステップ＃４０１）。
【０１０８】
ここで、ＲＦＩＤリーダライタ２００からのコマンドがデータアクセス要求であれば（ステップ＃４０１のＹＥＳ）、第２の電源部８から電力が供給されているか否かをチェックし（ステップ＃４０２）、第２の電源部８から電力が供給されていなければ（ステップ＃４０２のＮＯ）、ステップ＃４０３へ進み、第２の電源部８から電力が供給されていれば（ステップ＃４０２のＹＥＳ）、ステップ＃４１１へ進む。
【０１０９】
この場合、ＲＦＩＤリーダライタ２００はＬ２内にあるので、ＲＦＩＤリーダライタ２００からの電波強度が第２のアンテナ部７の受信感度にとっても十分強いものとなっており、第２の電源部８から制御部５へ電力が供給される。このため、制御部５は、ステップ＃４０２のＹＥＳに応じてステップ＃４１１へ進む。ステップ＃４１１において、制御部５は、第２のアンテナ部７を介して受信されるデータアクセス要求を有効とし、このデータアクセス要求に従う保護メモリ部６Ａを含むメモリ部６への全てのアクセスを許可する。そして、そのアクセス要求がデータ読み出し要求であるのか、データ書き込み要求であるのかをチェックする（ステップ＃４１２）。
【０１１０】
アクセス要求がデータ読み出し要求であった場合、制御部５は、要求されたデータをメモリ部６（保護メモリ部６Ａあるいは非保護メモリ部６Ｂ）から読み出し（ステップ＃４１３）、読み出したデータを第２のデータ送信部１０を介してＲＦＩＤリーダライタ２００に返信する（ステップ＃４１４）。
【０１１１】
アクセス要求がデータ書き込み要求であった場合（ステップ＃４１２の「書き込み」）、制御部５は、受信データをメモリ部６（保護メモリ部６Ａあるいは非保護メモリ部６Ｂ）に書き込み（ステップ＃４１５）、書き込みに成功した旨を示す応答を第２のデータ送信部１０を介してＲＦＩＤリーダライタ２００へ返信する（ステップ＃４１６）。
【０１１２】
ここで、ＲＦＩＤリーダライタ２００は、正規の通信機器であるとは限らず、不正な通信機器である場合も考えられる。この実施の形態４では、ＲＦＩＤリーダライタ２００が正規の通信機器であるか否かに拘わらず、近距離のＲＦＩＤリーダライタ２００からのＲＦＩＤタグ１０２内の保護メモリ部６Ａへのアクセスが許可される。しかし、不正アクセスが行われたとしても、その不正アクセスは近距離からの不正アクセスであるので、人間が視覚的に容易に確認することが可能である。これにより、ＲＦＩＤタグ１０４の使用者が意図しないうちに、また気付かないうちに不正なアクセスを受けることを防ぐことができる。
【０１１３】
〔実施の形態４’〕
図１５に示したＲＦＩＤタグ１０４では、第１のアンテナ部１と第２のアンテナ部７の通信周波数を同一としているが、第１のアンテナ部１の通信周波数と第２のアンテナ部７の通信周波数とを異ならせ、第２のアンテナ部７を介してデータ通信を行うＲＦＩＤリーダライタを別に設けるようにしてもよい。
【０１１４】
例えば、図１８に示すように、第１のアンテナ部１の通信周波数と第２のアンテナ部７の通信周波数とを異ならせ、第１のアンテナ部１を介してデータ通信を行うＲＦＩＤリーダライタ２００（第１のＲＦＩＤリーダライタ）とは別に、第２のアンテナ部７を介してデータ通信を行う第２のＲＦＩＤリーダライタ４００を設ける。
【０１１５】
このＲＦＩＤタグ１０４’では、第２のＲＦＩＤリーダライタ４００を第２のアンテナ部７の通信可能距離Ｌ２内に位置させると、第２のＲＦＩＤリーダライタ４００からの電波を第２のアンテナ部７が受信する。受信された電波の電波強度は、第２のアンテナ部７の受信感度にとっても十分強いものとなっているため、その受信電波より第２の電源部８が電力を抽出する。これにより、制御部５において、第２のアンテナ部７を介して受信されるデータアクセス要求が有効とされ、第２のＲＦＩＤリーダライタ４００からの保護メモリ部６Ａを含むメモリ部６への全てのアクセスが可能となる。
【０１１６】
この実施の形態４’では、第２のＲＦＩＤリーダライタ４００を用いることにより、ＲＦＩＤリーダライタ２００が正規の通信機器であるか否かに拘わらず、ＲＦＩＤタグ１０４’内の保護メモリ部６Ａへのアクセスが許可される。しかし、ＲＦＩＤリーダライタ４００をＲＦＩＤタグ１０４’に近づけなければならず、人間が視覚的に容易に不正アクアセスを確認することが可能である。図１９にこのＲＦＩＤタグ１０４’の利用イメージ図を示す。
【０１１７】
〔実施の形態５〕
図２０は本発明に係るＲＦＩＤタグの第５の実施の形態（実施の形態５）の概略構成を示すブロック図である。この実施の形態５のＲＦＩＤタグ１０５では、実施の形態１のＲＦＩＤタグ１０１に対して、第２のアンテナ部７を設ける代わりに、外部電源５００との接続端子１１を設けた構成としている。
【０１１８】
実施の形態１では、第２のアンテナ７の受信電波から外部電力を抽出するようにし、この抽出した外部電力の入力の有無に基づいてメモリ部６へのアクセスの可否を制御部５で判断するようにしていたが、実施の形態５では、接続端子１１からの外部電力の入力の有無に基づいてメモリ部６へのアクセスの可否を判断するようにする。
【０１１９】
この実施の形態５では、ＲＦＩＤリーダライタ２００に外部電源５００を設け、ＲＦＩＤ２００にセットされた状態でなければ、ＲＦＩＤタグ１０５の接続端子１１に外部電源５００が接続されない構成としている。これにより、ＲＦＩＤタグ１０５をＲＦＩＤリーダライタ２００にセットしなければ、外部電源５００が接続端子１１に接続されず、遠距離からの不正アクセスが防止される。また、不正アクセスが行われたとしても、その不正アクセスは近距離からの不正アクセスであるので、人間が視覚的に容易に確認することが可能である。
【０１２０】
なお、この実施の形態５の動作は、図２に示したフローチャートにおいて、そのステップ＃１０２の「第２の電源部から電力供給有り？」を「接続端子から電力供給有り？」に代えるのみでよく、その説明は省略する。また、図２１に、このＲＦＩＤタグ１０５の利用イメージ図を示す。
【０１２１】
実施の形態５では、ＲＦＩＤリーダライタ２００に外部電源５００を設けるようにしたが、外部電源５００は必ずしもＲＦＩＤリーダライタ２００に設ける必要はない。
【０１２２】
また、実施の形態２のＲＦＩＤタグ１０２（図６）や実施の形態３のＲＦＩＤタグ１０３（図１０）についても、第２のアンテナ部７を設ける代わりに外部電源５００との接続端子１１を設けた構成とすることで、実施の形態５のＲＦＩＤタグ１０５と同様の効果を得ることが可能である。
【０１２３】
また、上述した実施の形態では、ＲＦＩＤタグとデータ通信する通信機器をデータの読み出しと書き込みが可能なＲＦＩＤリーダライタとしたが、データを読み出すだけのＲＦＩＤリーダとしてもよい。
【０１２４】
また、特許文献１や特許文献２には、ＲＦＩＤタグに第２のアンテナ部を設けることや、第２のアンテナ部を第１のアンテナ部に比べ十分小さいサイズにすることなどが記載されているが、また特許文献３にはメモリ部にデータ保護の有無を示すフラグ格納部を設けることなどが記載されているが、これらの文献には本発明の特徴部分の一部が断片的に記載されているのみであり、第２の電源部や接続端子からの外部電力の入力の有無に基づいて通信機器からのメモリ部へのアクセスの許可および禁止を制御することなどの重要技術は何ら開示されていない。
【図面の簡単な説明】
【０１２５】
【図１】本発明に係るＲＦＩＤタグの第１の実施の形態（実施の形態１）の概略構成を示すブロック図である。
【図２】実施の形態１のＲＦＩＤタグの制御部が有するアクセス禁止／許可機能を説明するためのフローチャートである。
【図３】ＲＦＩＤタグに対してＲＦＩＤリーダライタが近距離にある場合の図１に対応する図である。
【図４】実施の形態１の変形例（実施の形態１’）を示すブロック図である。
【図５】実施の形態１’のＲＦＩＤタグの利用イメージ図である。
【図６】本発明に係るＲＦＩＤタグの第２の実施の形態（実施の形態２）の概略構成を示すブロック図である。
【図７】実施の形態２のＲＦＩＤタグの制御部が有するアクセス禁止／許可機能を説明するためのフローチャートである。
【図８】ＲＦＩＤタグに対してＲＦＩＤリーダライタが近距離にある場合の図６に対応する図である。
【図９】実施の形態２の変形例（実施の形態２’）を示すブロック図である。
【図１０】本発明に係るＲＦＩＤタグの第３の実施の形態（実施の形態３）の概略構成を示すブロック図である。
【図１１】実施の形態３のＲＦＩＤタグにおけるデータメモリ部の各アドレスとフラグメモリ部におけるフラグ値との関係を示す図である。
【図１２】実施の形態３のＲＦＩＤタグの制御部が有するアクセス禁止／許可機能を説明するためのフローチャートである。
【図１３】ＲＦＩＤタグに対してＲＦＩＤリーダライタが近距離にある場合の図１０に対応する図である。
【図１４】実施の形態３の変形例（実施の形態３’）を示すブロック図である。
【図１５】本発明に係るＲＦＩＤタグの第４の実施の形態（実施の形態４）の概略構成を示すブロック図である。
【図１６】実施の形態３の制御部が有するアクセス禁止／許可機能を説明するためのフローチャートである。
【図１７】ＲＦＩＤタグに対してＲＦＩＤリーダライタが近距離にある場合の図１５に対応する図である。
【図１８】実施の形態４の変形例（実施の形態４’）を示すブロック図である。
【図１９】実施の形態４’のＲＦＩＤタグの利用イメージ図である。
【図２０】本発明に係るＲＦＩＤタグの第５の実施の形態（実施の形態５）の概略構成を示すブロック図である。
【図２１】実施の形態５のＲＦＩＤタグの利用イメージ図である。
【符号の説明】
【０１２６】
１…第１のアンテナ部、２…第１の電源部、３…データ受信部（第１のデータ受信部）、４…データ送信部（第１のデータ送信部）、５…制御部、６…メモリ部、６Ａ…保護メモリ部、６Ｂ…非保護メモリ部、６Ｃ…データメモリ部、６Ｄ…フラグメモリ部、７…第２のアンテナ部、８…第２の電源部、９…第２のデータ受信部、１０…第２のデータ送信部、１２…接続端子、１０１（１０１’）〜１０５（１０５’）…ＲＦＩＤタグ、２００…ＲＦＩＤリーダライタ（第１のＲＦＩＤリーダライタ）、３００…電波供給源、４００…第２のＲＦＩＤリーダライタ、５００…外部電源。
【図１】
2007257267.tif 000003
【図２】
2007257267.tif 000004
【図３】
2007257267.tif 000005
【図４】
2007257267.tif 000006
【図５】
2007257267.tif 000007
【図６】
2007257267.tif 000008
【図７】
2007257267.tif 000009
【図８】
2007257267.tif 000010
【図９】
2007257267.tif 000011
【図１０】
2007257267.tif 000012
【図１１】
2007257267.tif 000013
【図１２】
2007257267.tif 000014
【図１３】
2007257267.tif 000015
【図１４】
2007257267.tif 000016
【図１５】
2007257267.tif 000017
【図１６】
2007257267.tif 000018
【図１７】
2007257267.tif 000019
【図１８】
2007257267.tif 000020
【図１９】
2007257267.tif 000021
【図２０】
2007257267.tif 000022
【図２１】
2007257267.tif 000023